(57)【特許請求の範囲】
【請求項１】
受信アンテナにて受信されたディジタル放送信号を測定する測定装置であって，
前記ディジタル放送信号の大きさを測定するレベル測定手段と，
前記ディジタル放送信号のビットエラーレートを測定するＢＥＲ測定手段と，
前記ＢＥＲ測定手段にて測定されたＢＥＲ値を逆極性にして，前記レベル測定手段にて測定されたレベル値と合成することにより，総合評価値を生成する信号処理回路と，
前記信号処理回路にて生成された総合評価値を表示部に表示する制御部と，
前記ディジタル放送信号の入力経路に設けられた可変アッテネータと，
を備え，
前記制御部は，前記信号処理回路にて生成された総合評価値が基準値より大きいか否かを判断して，総合評価値が基準値よりも大きい場合には，前記アッテネータの減衰量を徐々に大きくなるように変化させ，総合評価値が基準値よりも大きくなければ，前記アッテネータの減衰量の増加を停止することを特徴とするディジタル放送信号の測定装置。
【発明の詳細な説明】
【技術分野】
【０００１】
本発明は，主にディジタル放送信号の測定に利用される測定装置に関し，詳しくは受信アンテナの方向調整をするための測定回路に関する。
【背景技術】
【０００２】
従来のディジタル放送信号の測定装置は，アンテナの方向調整をする際，入力電界強度と誤り率（ＢＥＲ）の値をそれぞれ表示させていた。（例えば，特許文献１参照）
【０００３】
【特許文献１】特許第３２７２２４６号公報
【発明の開示】
【発明が解決しようとする課題】
【０００４】
しかし，従来のディジタル放送信号の測定装置を使って，受信アンテナの方向調整をする場合，マルチパスの影響を受けると，受信信号の強度が最大の方向にアンテナの方向を合わせてもうまく受信できないといった問題が有った。
この対策としてＢＥＲ値を測定し，この値に基づき受信アンテナの方向を調整する方法もあるが，受信アンテナの角度が最適な方位向の近傍ではＢＥＲ値の変化が小さくなるため，最適な方向に受信アンテナの方向を調整するのが困難であった。
更に，マルチパスがある場合は，ＢＥＲ値が０付近の方位角度範囲の中央に受信アンテナの方向を合わせても，正しい方向と一致しないため，何らかの原因で受信レベルが下がった場合には，ＢＥＲ値が急激に劣化して正常な受信ができなくなる恐れがあった。
【０００５】
本発明は，こうした問題点を解決するためになされたものであり，その目的は，マルチパスがあっても，受信アンテナの方向調整の精度を上げることができるディジタル放送信号測定装置を提供することにある。
【課題を解決するための手段】
【０００８】
上記目的を達成するためになされた請求項１に記載の発明は，受信アンテナにて受信されたディジタル放送信号を測定する測定装置であって，
前記ディジタル放送信号の大きさを測定するレベル測定手段と，
前記ディジタル放送信号のビットエラーレートを測定するＢＥＲ測定手段と，
前記ＢＥＲ測定手段にて測定されたＢＥＲ値を逆極性にして，前記レベル測定手段にて測定されたレベル値と合成することにより，総合評価値を生成する信号処理回路と，
前記信号処理回路にて生成された総合評価値を表示部に表示する制御部と，
前記ディジタル放送信号の入力経路に設けられた可変アッテネータと，
を備え，
前記制御部は，前記信号処理回路にて生成された総合評価値が基準値より大きいか否かを判断して，総合評価値が基準値よりも大きい場合には，前記アッテネータの減衰量を徐々に大きくなるように変化させ，総合評価値が基準値よりも大きくなければ，前記アッテネータの減衰量の増加を停止することを特徴とする。
【発明の効果】
【００１１】
請求項１に記載の測定装置によれば，信号処理回路が，ＢＥＲ測定手段にて測定されたＢＥＲ値を逆極性にして，レベル測定手段にて測定されたレベル値と合成することにより，総合評価値を生成し，制御部が，その生成された総合評価値を表示部に表示する。
このため，表示部に表示される総合評価値は，受信アンテナの方位角変化に対し，急峻に変化することになり，本発明の測定装置を使用すれば，マルチパスがあっても，受信アンテナの方位角調整を精度良く行うことができるようになる。
【００１２】
また，ディジタル放送信号の入力経路には，可変アッテネータが設けられている。そして，制御部が，総合評価値が基準値より大きいか否かを判断して，総合評価値が基準値よりも大きい場合に，アッテネータの減衰量を徐々に大きくなるように変化させ，総合評価値が基準値よりも大きくなければ，アッテネータの減衰量の増加を停止する。
【００１３】
従って，本発明の測定装置によれば，この制御部の動作によって，アッテネータの減衰量が，総合評価値が基準値となるよう制御されることになり，基準値を小さくして総合評価値の測定を繰り返すことにより，受信アンテナの方位角調整をより精度よく実行できることになる。
【発明を実施するための最良の形態】
【００１４】
以下に，本発明を具体化した実施形態の例を，図面を基に詳細に説明する。
【実施例１】
【００１５】
図１は本発明に係る測定装置のブロックダイヤである。
送信アンテナ１から送信されるディジタル放送信号は受信アンテナ２で受信される。信号測定装置１０は受信アンテナ２から入力された信号を処理して最適な方向に受信アンテナ２の方向を合わせるための表示をし，更に，最適な方向に合った時はその表示をする。
信号測定装置１０に入力された信号は電源分離フィルタ１１，増幅回路などを通過してチューナ回路１３へ入力される。
チューナ回路１３で処理された信号はレベルの大きさを示すレベル信号１３ａと，ＢＥＲ値を示すＢＥＲ信号１３ｂを例えばオペアンプ等で構成された信号処理回路１４へ出力する。
信号処理回路１４はレベル信号１３ａとＢＥＲ信号１３ｂの値を合成して総合評価値１４ａを作成する。
制御部１５から，レベル信号１３ａ，ＢＥＲ信号１３ｂの測定値，受信アンテナ２を最適な方向に合わせるための総合評価値１４ａ等を表示させるための信号を表示部１８へ出力する。
受信ブースターや衛星アンテナを使用する場合は，電源分離フィルタ１１を通して，制御部１５により電圧やパルスの重畳条件などがコントロールされた電源を電源回路１６から信号測定装置１０の入力端子へ供給することができる。
制御部１５は，電源回路１６のコントロールの他に，チューナー回路１３の選局のコントロールや入力装置１９からの信号処理等も行っている。
【００１６】
次に，受信アンテナ２の方向調整をするときの動作を説明する。
図４はマルチパスが無い状態で，受信アンテナ２の方向を変化させたときのレベル値１３ａの変化とＢＥＲ値１３ｂの変化を表したものである。また, 図５は＋３０度付近からマルチパスの影響を受けている状態で，受信アンテナ２の方向を変化させたときのレベル値１３ａの変化とＢＥＲ値１３ｂの変化を表したものである。
なお，後の説明でレベル値１３ａとＢＥＲ値１３ｂを合成するとき，ＢＥＲ値１３ｂを逆極性で行っているので，ＢＥＲ値１３ｂの変化は図面の上側が０，下側が１になるように示している。
図４（ａ），図５（ａ）において，
受信レベル１３ａがピークに近い角度の幅をＷ１，Ｗ２で示す。この例ではＷ１，Ｗ２の角度の幅は略３０度であり，これだけでは正しい方向の決定が困難である。
【００１７】
図４（ｂ），図５（ｂ）のようにマルチパスが無い場合でもマルチパスがある場合でも，入力レベルがある程度大きいとＢＥＲ値１３ｂは０に収束し，受信アンテナの方位角の変化に対するＢＥＲ値１３ｂの変化が小さくなるので，受信アンテナ２の方位角を変化させてもＢＥＲ値１３ｂが変化しない方位角の範囲（Ｗ３，Ｗ４，）が生じる。
この幅が有るため，受信アンテナの正しい方向の決定が困難になる。また，マルチパスが  ある場合には，この角度範囲の中央に受信アンテナの角度を合わせても，正しい方向とはならない場合がある。
そこで，実施例１は，受信アンテナを正しい方位角に合わせられるように，レベル値１３ａとＢＥＲ値１３ｂの両方を合成して総合評価値１４ａを作成し，これに基づいて受信アンテナの方位角を調整している。
図６にマルチパスが無い場合の，受信アンテナ２の方位角変化に対する総合評価値１４ａの変化を示す。これは，図４の（ａ），（ｂ）を合成したものである。
【００１８】
図７にマルチパスがある場合の，受信アンテナの方位角変化に対する総合評価値１４ａの変化を示す。これは，図５の（ａ），（ｂ）を合成したものである。
図６，図７に示すように，総合評価値１４ａの角度に対する変化は急峻になるため，精度良く受信アンテナ２の調整ができる。
【実施例２】
【００１９】
図２に実施例２のブロックダイヤを示す。
実施例１との違いは，電源分離フィルタ１１とバンドパスフィルターの間に可変アッテネータ１２を設けた点と，受信アンテナの方向調整をＢＥＲ値１３ｂのみのの変化を見ながら行う点である。このため，信号処理回路１４の出力である総合評価値１４ａはＢＥＲ値１３ｂと等しくなる。
図８はマルチパスが無い状態で，受信アンテナ２の方向を変化させたときのレベル値１３ａの変化とＢＥＲ値１３ｂの変化を入力側アッテネータ１２の値をパラメータとして表したものである。入力側アッテネータの減衰量は，実線から破線，一点破線の順に向かって増やしている。
また, 図９は＋３０度付近からマルチパスの影響を受けている状態で，受信アンテナ２の方向を変化させたときのレベル値１３ａの変化とＢＥＲ値１３ｂの変化を入力側アッテネータ１２の値をパラメータとして表したものである。入力側アッテネータの減衰量は，実線から破線，一点破線の順に向かって増やしている。
ここで，入力側アッテネータ１２の減衰量を次第に大きくすると，ＢＥＲ値１３ｂが変化しない角度の範囲がＷ３，Ｗ３１，または，Ｗ４，Ｗ４１，のようにだんだん狭くなり，ＢＥＲ値１３ｂの変化のピーク（Ｗ３ＰまたはＷ４Ｐ）が受信アンテナの正しい方向となる。この方法では，マルチパスが無い場合でもマルチパスがある場合でも正しい方向に受信アンテナを合わせることができる。なお，ＢＥＲ値１３ｂの変化のピーク値は必ずしも略０でなくても良い。
【実施例３】
【００２０】
図３に実施例３のブロックダイヤを示す。
実施例１との違いは，電源分離フィルタ１１とバンドパスフィルターの間に可変アッテネータ１２を設けた点である。
図１０はマルチパスが無い状態で，受信アンテナ２の方向を変化させたときのレベル値１３ａの変化とＢＥＲ値１３ｂの変化を合成した総合評価値１４ａを入力側アッテネータ１２の減衰量の値をパラメータとして表したものである。
また, 図１１は＋３０度付近からマルチパスの影響を受けている状態で，受信アンテナ２の方向を変化させたときのレベル値１３ａの変化とＢＥＲ値１３ｂの変化を合成した総合評価値１４ａを入力側アッテネータ１２の減衰量の値をパラメータとして表したものである。
ここで，入力側アッテネータ１２減衰量を実線から破線，一点破線の順に向かって次第に大きくすると，受信アンテナの方位角変化に対する総合評価値１４ａの変化が次第に急峻になり，受信アンテナの方位角を精度良く，正しい方向に調整できる。
なお，図１０，図１１は相対値を示し，カーブの頂点を合わせて表示している。
【００２１】
次に，図１２，図１３，図１４に示す測定フローチャートを用いて，測定の手順を説明する。
【００２２】
図１２の測定フローチャートを用いて実施例１の測定の手順を説明する。
はじめに，操作部１９より調整モードを選択する。本処理が起動すると，まず当該装置の内部設定をクリアする。そして，そして操作部１９を介して設定された測定条件を読み込み，その読み込んだ測定条件とＲＯＭに格納された情報テーブルの内容とに従って設定したＰＬＬデータ等をチューナ回路１３に出力する。
そして，測定した総合評価値１４ａを表示する。
次に，総合評価値１４ａを判定し設定した基準値より大きい場合は判定信号をＯＮとして認識マークを表示する。
この認識マークはディジタル信号が正常に受信できたことを示すものである。
総合評価値１４ａの判定手段の基準値を小さくして測定を繰り返す。
受信周波数やその他の測定条件を変える場合は適宜条件を入力して測定を繰り返す。
【００２３】
次に図１３の測定フローチャートを用いて実施例２の測定の手順を説明する。
はじめに，操作部１９より調整モードを選択する。本処理が起動すると，まず当該装置の内部設定をクリアする。そして，そして操作部１９を介して設定された測定条件を読み込み，その読み込んだ測定条件とＲＯＭに格納された情報テーブルの内容とに従って設定したＰＬＬデータ等をチューナ回路１３に出力する。
測定したＢＥＲ値１３ｂを判定し，エラーが無い場合（または設定した値より小さい場合）は入力側アッテネータ１２の減衰量の値を０ｄＢから徐々に大きくなるように変化させるとともにＢＥＲ値１３ｂを表示する。入力側アッテネータ１２の増加により，ＢＥＲ値１３ｂの判定手段でエラーと判定した場合は入力側アッテネータ１２の減衰量の増加を停止するとともに，そのときのＢＥＲ値１３ｂを保持し，その値を表示する。また，エラー有りの表示（ＢＥＲ値の変化にピークがあることを示す）もする。この状態でＢＥＲ値１３ｂの変化を見ながら，保持されたＢＥＲ値１３ｂに近づくように受信アンテナ２の方向調整をする。
受信周波数やその他の測定条件を変える場合は適宜条件を入力して測定を繰り返す。
【００２４】
次に図１４の測定フローチャートを用いて実施例３の測定の手順を説明する。
はじめに，操作部１９より調整モードを選択する。本処理が起動すると，まず当該装置の内部設定をクリアする。そして，そして操作部１９を介して設定された測定条件を読み込み，その読み込んだ測定条件とＲＯＭに格納された情報テーブルの内容とに従って設定したＰＬＬデータ等をチューナ回路１３に出力する。そして測定した総合評価値１４ａを表示する。
次に，総合評価値１４ａを判定し，設定した基準値より大きい場合は入力側アッテネータ１２の減衰量の値を０ｄＢから徐々に大きくなるように変化させるとともに総合評価値１４ａを表示する。入力側アッテネータ１２の減衰量の増加により，総合評価値１４ａが判定手段で基準値より小さいと判定した場合は入力側アッテネータ１２の減衰量の増加を停止するとともに，そのときの総合評価値１４ａを保持し，その値を表示する。また，エラー有りの表示（正しい方位角に近いことを示す）もする。
総合評価値１４ａの判定手段の基準値を小さくして測定を繰り返すことにより，更に受信アンテナ２の方向調整の精度を上げることができる。
受信周波数やその他の測定条件を変える場合は適宜条件を入力して測定を繰り返す。
【００２５】
このような方法で受信アンテナ２の方向調整をすることにより，地上波ディジタル放送信号及び衛星によるディジタル放送信号の受信において，時間率マージンが十分とれない場合においてもより安定に受信することができる。
【００２６】
尚，本発明は上記実施の形態に限定されるものではなく，以下に例示するように，本発明の趣旨を逸脱しない範囲で各部の回路構成並びに測定フローチャート等を適宜に変更して実施することも可能である。
【図面の簡単な説明】
【００２７】
【図１】本発明に係るディジタル放送信号の測定方法および測定装置のブロックダイヤの１例を示す。
【図２】本発明に係るディジタル放送信号の測定方法および測定装置のブロックダイヤの１例を示す。
【図３】本発明に係るディジタル放送信号の測定方法および測定装置のブロックダイヤの１例を示す。
【図４】実施例１におけるマルチパスが無い場合のレベルとＢＥＲの出力例を示す。
【図５】実施例１におけるマルチパスがある場合のレベルとＢＥＲの出力例を示す。
【図６】実施例１におけるマルチパスが無い場合の総合評価値の出力例を示す。
【図７】実施例１におけるマルチパスがある場合の総合評価値の出力例を示す。
【図８】実施例２におけるアッテネータを変化させたときのレベルとＢＥＲの出力例を示す。
【図９】実施例２におけるアッテネータを変化させたときのレベルとＢＥＲの出力例を示す。
【図１０】実施例３におけるアッテネータを変化させたときの総合評価値の出力例を示す。
【図１１】実施例３におけるアッテネータを変化させたときの総合評価値の出力例を示す。
【図１２】実施例１の測定フローチャートを示す。
【図１３】実施例２の測定フローチャートを示す。
【図１４】実施例３の測定フローチャートを示す。
【符号の説明】
【００２８】
１…送信アンテナ，２…受信アンテナ，１０…ディジタル放送信号の測定装置，１１…電源分離フィルター，１２…アッテネータ，１３…チューナ回路，１４…信号処理回路，１５…制御部，１６…電源部，１８…表示部。
【図１】
0004319503.tif 000002
【図２】
0004319503.tif 000003
【図３】
0004319503.tif 000004
【図４】
0004319503.tif 000005
【図５】
0004319503.tif 000006
【図６】
0004319503.tif 000007
【図７】
0004319503.tif 000008
【図８】
0004319503.tif 000009
【図９】
0004319503.tif 000010
【図１０】
0004319503.tif 000011
【図１１】
0004319503.tif 000012
【図１２】
0004319503.tif 000013
【図１３】
0004319503.tif 000014
【図１４】
0004319503.tif 000015